(57)【要約】【課題】部品を増やすことなく正特性サーミスタを保持する。【解決手段】電子機器は、ブラウン管と、一次側電子部品５１と二次側電子部品５２とが実装された基板５と、ブラウン管に設けられ、通電により着磁されたブラウン管を消磁する消磁コイル４と、消磁コイル４の各端部にそれぞれ設けられ、当該消磁コイル４を基板５に電気的に接続するための複数のコネクタ６１，６２と、基板５に電気的に接続され、消磁コイル４とでブラウン管の消磁回路を構成するとともに、外力の作用により一次側電子部品５１又は二次側電子部品５２に向けて傾倒可能な正特性サーミスタ５５と、を備え、複数のコネクタ６１，６２のうち少なくとも一つのコネクタ６２は、正特性サーミスタ５５の二次側電子部品６２への傾倒を所定範囲内に規制する二次側傾倒防止位置で基板５に接続されている。【選択図】図２
2007005953.tif 000002
【特許請求の範囲】
【請求項１】
ブラウン管と、
一次側に実装された一次側電子部品と二次側に実装された二次側電子部品とを有する基板と、
前記ブラウン管に設けられ、通電により着磁された前記ブラウン管を消磁する消磁コイルと、
前記消磁コイルの各端部にそれぞれ設けられ、当該消磁コイルを前記基板に電気的に接続するための複数のコネクタと、
前記基板に電気的に接続され、前記消磁コイルとで前記ブラウン管の消磁回路を構成するとともに、前記一次側電子部品と前記二次側電子部品との間に設けられ、外力の作用により前記一次側電子部品又は前記二次側電子部品に向けて傾倒可能な正特性サーミスタと、を備え、
前記複数のコネクタのうち少なくとも一つのコネクタは、前記正特性サーミスタの前記二次側電子部品への傾倒を所定範囲内に規制する二次側傾倒防止位置で前記基板に接続され、
前記複数のコネクタのうち、前記二次側傾倒防止位置で前記基板に接続されているコネクタと異なる他の一つのコネクタは、前記正特性サーミスタの前記一次側電子部品への傾倒を所定範囲内に規制する一次側傾倒防止位置で前記基板に接続されていることを特徴とする電子機器。
【請求項２】
ブラウン管と、
一次側に実装された一次側電子部品と二次側に実装された二次側電子部品とを有する基板と、
前記ブラウン管に設けられ、通電により着磁された前記ブラウン管を消磁する消磁コイルと、
前記消磁コイルの各端部にそれぞれ設けられ、当該消磁コイルを前記基板に電気的に接続するための複数のコネクタと、
前記基板に電気的に接続され、前記消磁コイルとで前記ブラウン管の消磁回路を構成するとともに、前記一次側電子部品と前記二次側電子部品との間に設けられ、外力の作用により前記一次側電子部品又は前記二次側電子部品に向けて傾倒可能な正特性サーミスタと、を備え、
前記複数のコネクタのうち少なくとも一つのコネクタは、前記正特性サーミスタの前記二次側電子部品への傾倒を所定範囲内に規制する二次側傾倒防止位置で前記基板に接続されていることを特徴とする電子機器。
【請求項３】
前記複数のコネクタのうち、前記二次側傾倒防止位置で前記基板に接続されているコネクタと異なる他の一つのコネクタは、前記正特性サーミスタの前記一次側電子部品への傾倒を所定範囲内に規制する一次側傾倒防止位置で前記基板に接続されていることを特徴とする請求項２に記載の電子機器。
【請求項４】
前記一次側傾倒防止位置と前記二次側傾倒防止位置とに挟まれる位置に前記正特性サーミスタの前記基板への接続位置を案内する案内部材を設けたことを特徴とする請求項３に記載の電子機器。
【請求項５】
前記二次側傾倒防止位置で前記基板に接続されるコネクタにおける正特性サーミスタとの対向部には、
当該コネクタを前記基板と接続するに際して前記対向部に前記正特性サーミスタが接触した場合に、当該正特性サーミスタを直立する方向に案内する傾斜面が形成されていることを特徴とする請求項２に記載の電子機器。
【請求項６】
前記一次側傾倒防止位置で前記基板に接続されるコネクタにおける正特性サーミスタとの対向部には、
当該コネクタを前記基板と接続するに際して前記対向部に前記正特性サーミスタが接触した場合に、当該正特性サーミスタを直立する方向に案内する傾斜面が形成されていることを特徴とする請求項３に記載の電子機器。
【発明の詳細な説明】
【技術分野】
【０００１】
本発明は、ブラウン管の消磁を行うにあたり、消磁回路を構成する正特性サーミスタの傾倒を防止することができる電子機器に関する。
【背景技術】
【０００２】
ブラウン管を備えるテレビやパーソナルコンピュータ等の電子機器においては、ブラウン管が周囲環境や外的要因による磁界の影響などで着磁すると、電子銃からＲＧＢの蛍光体に向けて発射された電子ビームがその磁界の影響で曲げられ、表示画面の色純度が悪化する。これを防止するためには、ブラウン管に着磁した磁気を消磁する必要があり、一般には、ブラウン管に消磁コイルを配置して、この消磁コイルに最初は比較的大きく、数秒経過後に微小に急減衰する交流電流を流すことにより消磁が行われている。
【０００３】
消磁コイルは基板に電気的に接続されており、消磁コイルと基板に実装された電子部品とで消磁回路が形成される。この消磁回路には、正特性サーミスタが組み込まれており、消磁効果はこの正特性サーミスタにより発揮される。これは、正特性サーミスタが、最初に通電した際に大きな電流が流れて消磁機能を発揮し、その後の発熱により自身の抵抗値を高め、短時間のうちに流れる電流を制限する性質を有するからである。
【０００４】
正特性サーミスタは、リード線を有しており、このリード線が基板にハンダ付けされることにより、基板に取り付けられている。
【０００５】
ところで、正特性サーミスタは通電により高温に発熱するため、外力の作用により、リード線が折れ曲がって周囲の電子部品に接触すると、周囲の電子部品に悪影響（過電流等）を与えるおそれがある。
【０００６】
そのため、例えば、ＵＬ規格においては、基板に実装された電子部品のうち、（１）一次側の電子部品は正特性サーミスタが倒れても接触しない位置に配置すること、（２）二次側の電子部品は正特性サーミスタが倒れても接触しない位置、かつ、倒れた正特性サーミスタと二次側の電子部品との間に３ｍｍ以上の間隔がある位置に配置すること、が定められている。よって、正特性サーミスタの周囲には傾倒した場合を考慮して必ずスペースを確保しなければならず、基板の小型化を図ることが困難であった。
【０００７】
このような問題を解決するため、例えば、基板上に保持具を設け、この保持具でリード線を保持することにより電子部品の倒れを防止することができる技術が開示されている（例えば、特許文献１参照。）。このような保持具を用いることで正特性サーミスタは倒れないため、一次側及び二次側の電子部品と正特性サーミスタとの間で確保すべきスペースを縮小することができるので基板の小型化を図ることができる。
【特許文献１】実開昭５６−１３９２７１号公報
【発明の開示】
【発明が解決しようとする課題】
【０００８】
しかし、特許文献１に示すような保持具を用いて正特性サーミスタを保持する場合、正特性サーミスタを保持するためだけに、基板に設けなければならない部品が増えることになる。部品が増えることにより、電子部品のレイアウト設計が困難になるうえ、基板の小型化、軽量化を図ることが困難になる。また、部品の増加により、コストアップにつながるという問題があった。
【０００９】
そこで、本発明は、上記課題を解決するためになされたものであり、部品を増やすことなく正特性サーミスタを保持することができる電子機器を提供することを目的とする。
【課題を解決するための手段】
【００１０】
以上の課題を解決するため、請求項１に記載の発明は、ブラウン管と、一次側に実装された一次側電子部品と二次側に実装された二次側電子部品とを有する基板と、前記ブラウン管に設けられ、通電により着磁された前記ブラウン管を消磁する消磁コイルと、前記消磁コイルの各端部にそれぞれ設けられ、当該消磁コイルを前記基板に電気的に接続するための複数のコネクタと、前記基板に電気的に接続され、前記消磁コイルとで前記ブラウン管の消磁回路を構成するとともに、前記一次側電子部品と前記二次側電子部品との間に設けられ、外力の作用により前記一次側電子部品又は前記二次側電子部品に向けて傾倒可能な正特性サーミスタと、を備え、前記複数のコネクタのうち少なくとも一つのコネクタは、前記正特性サーミスタの前記二次側電子部品への傾倒を所定範囲内に規制する二次側傾倒防止位置で前記基板に接続され、前記複数のコネクタのうち、前記二次側傾倒防止位置で前記基板に接続されているコネクタと異なる他の一つのコネクタは、前記正特性サーミスタの前記一次側電子部品への傾倒を所定範囲内に規制する一次側傾倒防止位置で前記基板に接続されていることを特徴とする。
【００１１】
請求項２に記載の発明は、ブラウン管と、一次側に実装された一次側電子部品と二次側に実装された二次側電子部品とを有する基板と、前記ブラウン管に設けられ、通電により着磁された前記ブラウン管を消磁する消磁コイルと、前記消磁コイルの各端部にそれぞれ設けられ、当該消磁コイルを前記基板に電気的に接続するための複数のコネクタと、前記基板に電気的に接続され、前記消磁コイルとで前記ブラウン管の消磁回路を構成するとともに、前記一次側電子部品と前記二次側電子部品との間に設けられ、外力の作用により前記一次側電子部品又は前記二次側電子部品に向けて傾倒可能な正特性サーミスタと、を備え、前記複数のコネクタのうち少なくとも一つのコネクタは、前記正特性サーミスタの前記二次側電子部品への傾倒を所定範囲内に規制する二次側傾倒防止位置で前記基板に接続されていることを特徴とする。
【００１２】
請求項３に記載の発明は、請求項２に記載の電子機器において、前記複数のコネクタのうち、前記二次側傾倒防止位置で前記基板に接続されているコネクタと異なる他の一つのコネクタは、前記正特性サーミスタの前記一次側電子部品への傾倒を所定範囲内に規制する一次側傾倒防止位置で前記基板に接続されていることを特徴とする。
【００１３】
請求項４に記載の発明は、請求項３に記載の電子機器において、前記一次側傾倒防止位置と前記二次側傾倒防止位置とに挟まれる位置に前記正特性サーミスタの前記基板への接続位置を案内する案内部材を設けたことを特徴とする。
【００１４】
請求項５に記載の発明は、請求項２に記載の電子機器において、前記二次側傾倒防止位置で前記基板に接続されるコネクタにおける正特性サーミスタとの対向部には、当該コネクタを前記基板と接続するに際して前記対向部に前記正特性サーミスタが接触した場合に、当該正特性サーミスタを直立する方向に案内する傾斜面が形成されていることを特徴とする。
【００１５】
請求項６に記載の発明は、請求項３に記載の電子機器において、前記一次側傾倒防止位置で前記基板に接続されるコネクタにおける正特性サーミスタとの対向部には、当該コネクタを前記基板と接続するに際して前記対向部に前記正特性サーミスタが接触した場合に、当該正特性サーミスタを直立する方向に案内する傾斜面が形成されていることを特徴とする。
【発明の効果】
【００１６】
請求項１に記載の発明によれば、複数のコネクタのうち少なくとも一つのコネクタは二次側傾倒防止位置で基板に接続されているので、正特性サーミスタの二次側電子部品への
傾倒を所定範囲内に規制する。また、複数のコネクタのうち、二次側傾倒防止位置で基板に接続されているコネクタと異なる他の一つのコネクタは、一次側傾倒防止位置で基板に接続されているので、正特性サーミスタの一次側電子部品への傾倒を所定範囲内に規制する。
【００１７】
これにより、外力の作用により正特性サーミスタが一次側電子部品又は二次側電子部品に向けて傾倒しようとしてもコネクタにより傾倒が防止される。ここで、コネクタは、正特性サーミスタの傾倒を防止するためだけの部品ではなく、もともと消磁コイルと基板とを電気的に接続するための部品であり、両者の接続位置を一次側傾倒防止位置又は二次側傾倒防止位置にしただけのことなので、従来のように正特性サーミスタを抑えるために新たな部品を設ける必要がない。
【００１８】
従って、部品が増えることにより、基板上の電子部品のレイアウト設計が困難になることがない。むしろ、正特性サーミスタの傾倒に際して確保すべきスペースを他の電子部品のレイアウト等に利用することができるので、基板のレイアウト設計の自由度を向上させることができる。
【００１９】
また、正特性サーミスタは所定範囲を超えて傾倒することがないので、従来では確保する必要があった正特性サーミスタと一次側電子部品との間のスペース及び正特性サーミスタと二次側電子部品との間のスペースを縮小することができるので、基板の小型化、軽量化を図ることが容易になる。また、新たに部品を増やすことなく正特性サーミスタの傾倒を所定範囲内に抑えることができるので、コストアップを回避することができる。
【００２０】
請求項２に記載の発明によれば、複数のコネクタのうち少なくとも一つのコネクタは二次側傾倒防止位置で基板に接続されているので、正特性サーミスタの二次側電子部品への傾倒を所定範囲内に規制する。
【００２１】
これにより、外力の作用により正特性サーミスタが二次側電子部品に向けて傾倒しようとしてもコネクタにより傾倒が防止される。ここで、コネクタは、正特性サーミスタの傾倒を防止するためだけの部品ではなく、もともと消磁コイルと基板とを電気的に接続するための部品であり、両者の接続位置を二次側傾倒防止位置にしただけのことなので、従来のように正特性サーミスタを抑えるために新たな部品を設ける必要がない。
【００２２】
従って、部品が増えることにより、基板上の電子部品のレイアウト設計が困難になることがない。むしろ、正特性サーミスタの傾倒に際して確保すべきスペースを他の電子部品のレイアウト等に利用することができるので、基板のレイアウト設計の自由度を向上させることができる。
【００２３】
また、正特性サーミスタは所定範囲を超えて傾倒することがないので、従来では確保する必要があった正特性サーミスタと二次側電子部品との間のスペースを縮小することができるので、基板の小型化、軽量化を図ることが容易になる。また、新たに部品を増やすことなく正特性サーミスタの傾倒を所定範囲内に抑えることができるので、コストアップを回避することができる。また、正特性サーミスタの傾倒に際して確保すべきスペースが大きな二次側電子部品への傾倒を抑えるので、スペースの縮小効率が高い。
【００２４】
請求項３に記載の発明によれば、複数のコネクタのうち、二次側傾倒防止位置で基板に接続されているコネクタと異なる他の一つのコネクタは、一次側傾倒防止位置で基板に接続されているので、正特性サーミスタの一次側電子部品への傾倒を所定範囲内に規制する。
【００２５】
これにより、外力の作用により正特性サーミスタが一次側電子部品に向けて傾倒しようとしてもコネクタにより傾倒が防止される。ここで、コネクタは、正特性サーミスタの傾倒を防止するためだけの部品ではなく、もともと消磁コイルと基板とを電気的に接続するための部品であり、両者の接続位置を一次側傾倒防止位置にしただけのことなので、従来のように正特性サーミスタを抑えるために新たな部品を設ける必要がない。
【００２６】
従って、部品が増えることにより、基板上の電子部品のレイアウト設計が困難になることがない。むしろ、正特性サーミスタの傾倒に際して確保すべきスペースを他の電子部品
のレイアウト等に利用することができるので、基板のレイアウト設計の自由度を向上させることができる。
【００２７】
また、正特性サーミスタは所定範囲を超えて傾倒することがないので、従来では確保する必要があった正特性サーミスタと一次側電子部品との間のスペースを縮小することができるので、基板の小型化、軽量化を図ることが容易になる。また、新たに部品を増やすことなく正特性サーミスタの傾倒を所定範囲内に抑えることができるので、コストアップを回避することができる。
【００２８】
請求項４に記載の発明によれば、案内部材に従って正特性サーミスタを基板に実装することにより、正特性サーミスタは、一次側傾倒防止位置で基板に接続されたコネクタと二次側傾倒防止位置で基板に接続されたコネクタとに挟まれた位置で基板に実装される。
【００２９】
これにより、コネクタにより正特性サーミスタの傾倒を所定範囲内に抑えることができる。
【００３０】
請求項５に記載の発明によれば、二次側傾倒防止位置でコネクタを基板と接続する際に、正特性サーミスタが傾いていて、そのコネクタの対向部に正特性サーミスタが接触した場合であっても、対向部の傾斜面により正特性サーミスタは自身が直立する方向に案内される。
【００３１】
これにより、正特性サーミスタが多少傾いていてもコネクタを基板に接続することができるのでコネクタを基板に取り付ける際の作業性を向上させることができる。
【００３２】
請求項６に記載の発明によれば、一次側傾倒防止位置でコネクタを基板と接続する際に、正特性サーミスタが傾いていて、そのコネクタの対向部に正特性サーミスタが接触した場合であっても、対向部の傾斜面により正特性サーミスタは自身が直立する方向に案内される。
【００３３】
これにより、正特性サーミスタが多少傾いていてもコネクタを基板に接続することができるのでコネクタを基板に取り付ける際の作業性を向上させることができる。
【発明を実施するための最良の形態】
【００３４】
以下、図面を参照して、本発明に係る電子機器の最良の形態について詳細に説明する。なお、本実施形態においては、ブラウン管を備える電子機器としてブラウン管テレビを例に挙げて説明する。
＜電子機器の構成＞
図１に示すように、ブラウン管テレビ１（以下、テレビ１という。）は、ブラウン管２がプラスチック等から形成された筐体３に嵌め込まれている。
【００３５】
ブラウン管２は、前方に向かうにつれて断面が拡大された形状とされ、後方に設けられた電子銃２１から電子ビームを前方に設けられた蛍光面２２に向けて放射することにより、蛍光面２２を発光させて映像を形成する。また、ブラウン管２の前面の周囲には、着磁したブラウン管２を消磁する消磁コイル４が設けられている。
【００３６】
図２〜図４に示すように、消磁コイル４の端部には、基板５に電気的に接続するためのコネクタ６１，６２が取り付けられており、テレビ１の内部に設けられた基板５にコネクタ６１，６２を介して電気的に接続され、基板５に流れる電流が消磁コイル４に流れるようになっている。なお、これらのコネクタ６１，６２は、正特性サーミスタ５５の発熱によって溶けないような材料、例えば、ＵＬ規格の難燃性グレードＶ０に認定されたプラスチックにより形成することが好ましい。
【００３７】
基板５には、一次側となる一次側電子部品５１（セメント抵抗５３、コンデンサ５４等）と、二次側となる二次側電子部品５２が設けられている。そして、一次側電子部品５１と二次側電子部品５２との間には、正特性サーミスタ５５が設けられている。
【００３８】
正特性サーミスタ５５は、消磁コイル４とで消磁回路を構成し、ブラウン管２の消磁を
行う。この正特性サーミスタ５５には、二本のリード線５５１が設けられており、各リード線５５１の端部で基板５に接続されている。このリード線５５１は、比較的軟らかい導電性の金属材料（例えば、アルミニウム等）から形成されており、人の指で押される力等の外力が作用することにより傾倒するようになっている。
【００３９】
正特性サーミスタ５５は、最初に通電した際に大きな電流が流れて消磁機能を発揮し、その後の発熱により自身の抵抗値を高め、短時間のうちに流れる電流を制限する電流制限素子としての性質を有しており、消磁回路に求められる機能を発揮する。
【００４０】
図４に示すように、基板５には、消磁コイル４に設けられたコネクタ６１，６２と電気的に接続する接続ピン５７，５８が立設されている。
【００４１】
ここで、接続ピン５７は、導電性を有する金属材料から形成され、正特性サーミスタ５５の一次側電子部品５１への傾倒を所定範囲内に規制する一次側傾倒防止位置に立設され、基板５の裏面側で基板５にハンダ付けされている。また、接続ピン５８は、導電性を有する金属材料から形成され、正特性サーミスタ５５の二次側電子部品５２への傾倒を所定範囲内に規制する二次側傾倒防止位置に立設され、基板５の裏面側で基板５にハンダ付けされている。
【００４２】
また、一次側傾倒防止位置に立設された接続ピン５７と二次側傾倒防止位置に立設された接続ピン５８とは、正特性サーミスタ５５を挟んで対向する位置に設けられており、接続ピン５７にはコネクタ６１が差し込まれ、接続ピン５８にはコネクタ６２が差し込まれる。これにより、コネクタ６１が正特性サーミスタ５５の一次側電子部品５１への所定範囲以上の傾倒を防止し、コネクタ６２が正特性サーミスタ５５の二次側電子部品５２への所定範囲以上の傾倒を防止する。なお、正特性サーミスタ５５の傾倒を許容する所定範囲とは、200gfの力で正特性サーミスタ５５を傾倒方向に押した場合に、基板５に対して直
立した状態から５°程度傾倒することができる範囲をいい、５°程度の傾倒を可能とする隙間がコネクタ６１，６２と正特性サーミスタ５５との間に形成されるように各部品が配置されている。
＜作用効果＞
実施形態のテレビ１によれば、消磁コイル４に接続された複数のコネクタ６１，６２のうち少なくとも一つのコネクタ６２は二次側傾倒防止位置で基板５に接続されているので、正特性サーミスタ５５の二次側電子部品５２への傾倒を所定範囲内に規制する。また、複数のコネクタ６１，６２のうち、二次側傾倒防止位置で基板５に接続されているコネクタ６２と異なる他の一つのコネクタ６１は、一次側傾倒防止位置で基板５に接続されているので、正特性サーミスタ５５の一次側電子部品５１への傾倒を所定範囲内に規制する。
【００４３】
これにより、外力の作用により正特性サーミスタ５５が一次側電子部品５１又は二次側電子部品５２に向けて傾倒しようとしてもコネクタ６１，６２により傾倒が防止される。ここで、コネクタ６１，６２は、正特性サーミスタ５５の傾倒を防止するためだけの部品ではなく、もともと消磁コイル４と基板５とを電気的に接続するための部品であり、両者の接続位置を一次側傾倒防止位置又は二次側傾倒防止位置にしただけのことなので、従来のように正特性サーミスタ５５を抑えるために新たな部品を設ける必要がない。
【００４４】
また、正特性サーミスタ５５が傾倒した際に接触するコネクタ６１，６２は、ＵＬ規格の難燃性グレードＶ０に認められたプラスチックで形成されているため、正特性サーミスタ５５の発熱温度（１００℃程度）では溶融して燃焼することがない。
【００４５】
従って、部品が増えることにより、基板５上の電子部品５１，５２のレイアウト設計が困難になることがない。むしろ、正特性サーミスタ５５の傾倒に際して確保すべきスペースＳ（図２及び図３参照）を他の電子部品のレイアウト等に利用することができるので、基板５のレイアウト設計の自由度を向上させることができる。
【００４６】
また、正特性サーミスタ５５は所定範囲を超えて傾倒することがないので、従来では確保する必要があった正特性サーミスタ５５と一次側電子部品５１との間のスペース及び正
特性サーミスタ５５と二次側電子部品５２との間のスペースを縮小することができるので、基板５の小型化、軽量化を図ることが容易になる。また、新たに部品を増やすことなく正特性サーミスタ５５の傾倒を所定範囲内に抑えることができるので、コストアップを回避することができる。
（変形例１）
図５は、上記実施形態における消磁コイル４と基板５との接続構造の変形例１である。
【００４７】
変形例１においては、基板５上に立設された接続ピン５７，５８に挿通されることにより基板５上に取り付けられ、一次側傾倒防止位置と二次側傾倒防止位置とに挟まれる位置に正特性サーミスタ５５の基板５への接続位置を案内する案内部材５９を備えている。
【００４８】
案内部材５９は、プラスチック等の絶縁材料から形成され、この案内部材５９には、上面から下面にわたって貫通し、接続ピン５７，５８を挿通させる二つの挿通孔５９１，５９２が形成され、この二つの挿通孔５９１，５９２を結ぶ直線のほぼ中央には上面から下面にわたって貫通し、正特性サーミスタ５５のリード線５５１を挿通させる二つの案内孔５９３（一方の案内孔は不図示）が形成されている。
【００４９】
すなわち、案内部材５９を接続ピン５７，５８に挿通させて位置決めを行い、挿通孔５９３から正特性サーミスタ５５のリード線５５１を挿通させて基板５の裏面側で基板５と電気的に接続することができる。
【００５０】
このような接続構造とすることにより、案内部材５９に従って正特性サーミスタ５５を基板５に実装することにより、正特性サーミスタ５５は、一次側傾倒防止位置で基板５に接続されたコネクタ６１と二次側傾倒防止位置で基板５に接続されたコネクタ６２とに挟まれた位置で基板５に実装される。
【００５１】
これにより、コネクタ６１，６２により正特性サーミスタ５５の傾倒を所定範囲内に抑えることができる。
（変形例２）
図６は、上記実施形態における消磁コイル４と基板５との接続構造の変形例２である。
【００５２】
変形例２においては、二次側傾倒防止位置で基板５に接続されるコネクタ６４における正特性サーミスタ５５との対向部には、当該コネクタ６４を基板５と接続するに際して対向部に正特性サーミスタ５５が接触した場合に、正特性サーミスタ５５を直立する方向に案内する傾斜面６４ａが形成されている。具体的には、コネクタ６４のうち、正特性サーミスタ５５との対向部が正特性サーミスタ５５側に張り出す弧状に形成されている。
【００５３】
また、一次側傾倒防止位置で基板５に接続されるコネクタ６３における正特性サーミスタ５５との対向部には、当該コネクタ６３を基板５と接続するに際して対向部に正特性サーミスタ５５が接触した場合に、正特性サーミスタ５５を直立する方向に案内する傾斜面６３ａが形成されている。具体的には、コネクタ６３のうち、正特性サーミスタ５５との対向部が正特性サーミスタ５５側に張り出す弧状に形成されている。なお、各コネクタ６３，６４における正特性サーミスタ５５との対向部は、弧状に形成するものに限らず、傾いた正特性サーミスタ５５を直立させる方向に案内する形状であればよい。例えば、正特性サーミスタ５５側に向かうにつれて上方に傾斜する傾斜面であってもよい。
【００５４】
このような接続構造とすることにより、二次側傾倒防止位置でコネクタ６４を基板５と接続する際に、正特性サーミスタ５５が傾いていても、正特性サーミスタ５５の上端はコネクタ６４の対向部の傾斜面６４ａに沿って、当該正特性サーミスタ５５が直立する方向に案内される。
【００５５】
これにより、正特性サーミスタ５５が多少傾いていてもコネクタ６４を基板５に接続することができるのでコネクタ６２を基板５に取り付ける際の作業性を向上させることができる。
【００５６】
また、一次側傾倒防止位置でコネクタ６３を基板５と接続する際に、正特性サーミスタ
５５が傾いていても、正特性サーミスタ５５の上端はコネクタ６３の対向部の傾斜面６３ａに沿って、当該正特性サーミスタ５５が直立する方向に案内される。
【００５７】
これにより、正特性サーミスタ５５が多少傾いていてもコネクタ６３を基板５に接続することができるのでコネクタ６３を基板５に取り付ける際の作業性を向上させることができる。
【００５８】
なお、本発明は、上記実施形態に限定されるものではない。例えば、コネクタ６１，６２と基板５との接続位置は、正特性サーミスタ５５の傾倒方向に沿った方向に対向配置するものに限らず、図７に示すように、コネクタ６１，６２を、正特性サーミスタ５５を挟んで正特性サーミスタ５５の傾倒方向に交差する方向に対向するように配置してもよい。
【図面の簡単な説明】
【００５９】
【図１】テレビの概略断面図である。
【図２】基板の斜視図である。
【図３】基板の平面図である。
【図４】消磁コイルと基板の接続構造において、一部を断面視した概略正面図である。
【図５】消磁コイルと基板の接続構造の変形例１において、一部を断面視した概略正面図である。
【図６】消磁コイルと基板の接続構造の変形例２において、一部を断面視した概略正面図である。
【図７】コネクタの取り付け位置の変形例を示す概略平面図である。
【符号の説明】
【００６０】
１  テレビ（電子機器）
２  ブラウン管
４  消磁コイル
５  基板
５１  一次側電子部品
５２  二次側電子部品
５５  正特性サーミスタ
５９  案内部材
６１  コネクタ
６２  コネクタ
６３  コネクタ
６４  コネクタ
６３ａ  傾斜面
６４ａ  傾斜面
【図１】
2007005953.tif 000003
【図２】
2007005953.tif 000004
【図３】
2007005953.tif 000005
【図４】
2007005953.tif 000006
【図５】
2007005953.tif 000007
【図６】
2007005953.tif 000008
【図７】
2007005953.tif 000009